(57)【要約】【課題】弦巻バネのような付勢部材を原稿載置板の平面と垂直な方向に付勢力を生じるように読取部と保持部との間に配する場合と比べて、付勢部材の配置スペースを大きくとることができる。【解決手段】原稿を載置する透明な平面を有する原稿載置板と、原稿載置板の平面における所定の方向の長さよりも長く延伸し、原稿載置板に載置された原稿を原稿載置板側から光学的に読み取る読取部と、読取部を保持し、原稿載置板の平面に沿って所定の方向に直交する方向に、読取部とともに移動する保持部と、保持部に配されて、原稿載置板の平面と平行な方向に付勢力を生じる付勢部材と、付勢部材により生じる付勢力を原稿載置板の平面と垂直な方向に変換して、読取部を原稿載置板に押し付ける付勢力変換部材とを備える画像読取装置が提供される。【選択図】図１
2008203456.tif 000002
【特許請求の範囲】
【請求項１】
少なくとも一の方向に並んで配された複数の受光素子を有し、原稿を光学的に読み取る読取部と、
前記読取部を保持する保持部と、
前記保持部に配されて、前記複数の受光素子の受光方向に垂直な方向に付勢力を生じる付勢部材と、
前記付勢部材により生じる付勢力の方向を前記受光方向に平行な方向に変換して、前記読取部を前記原稿側に付勢する付勢力変換部材と
を備えるスキャナユニット。
【請求項２】
前記付勢部材は、前記複数の受光素子の並び方向に付勢力を生じる請求項１に記載のスキャナユニット。
【請求項３】
前記保持部は、前記受光方向および前記複数の受光素子の並び方向の両方に直交する方向において前記読取部に当接しており、
前記付勢部材は、前記受光方向および前記複数の受光素子の並び方向の両方に直交する方向に付勢力を生じる請求項１に記載のスキャナユニット。
【請求項４】
原稿を載置する透明な平面を有する原稿載置板と、
前記原稿載置板に載置された原稿を前記原稿載置板側から光学的に読み取る読取部と、
前記読取部を保持し、前記読取部とともに前記原稿載置板の前記平面に沿って所定の方向に移動する保持部と、
前記保持部に配されて、前記原稿載置板の前記平面と平行な方向に付勢力を生じる付勢部材と、
前記付勢部材により生じる付勢力を前記原稿載置板の前記平面に垂直な方向に変換して、前記読取部を前記原稿載置板に押し付ける付勢力変換部材と
を備える画像読取装置。
【請求項５】
前記読取部は、前記原稿載置板の前記平面における前記所定の方向と直交する方向に延伸し、
前記付勢部材は、前記所定の方向と直交する方向に付勢力を生じる請求項４に記載の画像読取装置。
【請求項６】
前記保持部は、前記所定の方向において前記読取部に当接しており、
前記付勢部材は、前記所定の方向に付勢力を生じる請求項４に記載の画像読取装置。
【発明の詳細な説明】
【技術分野】
【０００１】
本発明は、画像読取装置および当該画像読取装置に用いられるスキャナユニットに関する。より詳細には、透明な平面を有する原稿載置板に載置された原稿を光学的に読み取る画像読取装置および当該画像読取装置に用いられるスキャナユニットに関する。
【背景技術】
【０００２】
原稿の画像を光学的に読み取って、画像を電子情報化する画像読取装置がある。この画像読取装置は、平面状のガラスなどで形成されて原稿を載置する原稿載置板と、当該原稿載置板に載置された原稿を前記原稿載置板側から光学的に読み取る読取部と、この読取部を保持しつつ読取部とともに移動する保持部とを備える（例えば特許文献１を参照）。
【０００３】
特許文献１に記載された画像読取装置において、読取部と保持部との間に弦巻バネなどの付勢部材が配されており、読取部は、この付勢部材により生じる付勢力によって、原稿載置板側に付勢されている。これにより、読取部におけるラインセンサなどの原稿を読み取る部分と原稿載置板との距離が一定に保たれる。
【特許文献１】特開平８−１６３２９１号公報
【発明の開示】
【発明が解決しようとする課題】
【０００４】
しかしながら、特許文献１に記載された画像読取装置において、付勢部材が原稿載置板の平面と垂直な方向、すなわち読取部を付勢する方向に付勢力を生じるように配されている。したがって、読取部と保持部との間のスペースが小さい場合、バネの配置スペースが狭いので、伸縮ストロークを長く取ることが難しく、よって、十分な付勢力を生じる付勢部材を配することが難しかった。
【課題を解決するための手段】
【０００５】
上記課題を解決すべく、本発明の第１の形態として、スキャナユニットであって、少なくとも一の方向に並んで配された複数の受光素子を有し、原稿を光学的に読み取る読取部と、読取部を保持する保持部と、保持部に配されて、複数の受光素子の受光方向に垂直な方向に付勢力を生じる付勢部材と、付勢部材により生じる付勢力の方向を受光方向に変換して、読取部を原稿側に付勢する付勢力変換部材とを備える。これにより、付勢部材を受光方向に平行な方向に付勢力を生じるように読取部と保持部との間に配する場合と比べて、付勢部材の配置スペースを大きくとることができる。したがって、例えば伸縮ストロークの長い弦巻バネなどを付勢部材として用いることができるので、付勢力の強い付勢部材を用いて読取部を確実に原稿側に付勢することができる。
【０００６】
上記スキャナユニットにおいて、付勢部材は、複数の受光素子の並び方向に付勢力を生じてもよい。付勢部材の付勢方向が読取部の長手方向となるように付勢部材を配するので、付勢部材の配置スペースをより大きくとることができる。
【０００７】
上記スキャナユニットにおいて、保持部は、受光方向および複数の受光素子の並び方向の両方に直交する方向において読取部に当接しており、付勢部材は、受光方向および複数の受光素子の並び方向の両方に直交する方向に付勢力を生じてもよい。この場合、付勢部材により生じる付勢力により、読取部を、原稿側に付勢するとともに、保持部が読取部を当接方向に付勢するので、この方向における読取部の保持部に対するがたつきを抑えることができる。
【０００８】
本発明の第２の形態として、画像読取装置であって、原稿を載置する透明な平面を有する原稿載置板と、原稿載置板に載置された原稿を原稿載置板側から光学的に読み取る読取部と、読取部を保持し、読取部とともに原稿載置板の平面に沿って所定の方向に移動する保持部と、保持部に配されて、原稿載置板の平面と平行な方向に付勢力を生じる付勢部材と、付勢部材により生じる付勢力を原稿載置板の平面に垂直な方向に変換して、読取部を原稿載置板に押し付ける付勢力変換部材とを備える。これにより、付勢部材を原稿載置板の平面と垂直な方向に付勢力を生じるように読取部と保持部との間に配する場合と比べて、付勢部材の配置スペースを大きくとることができる。したがって、例えば伸縮ストロークの長い弦巻バネなどを付勢部材として用いることができるので、付勢力の強い付勢部材を用いて読取部を確実に原稿載置板に押し付けることができる。
【０００９】
また、上記画像読取装置において、読取部は、原稿載置板の平面における所定の方向と直交する方向に延伸し、付勢部材は、所定の方向と直交する方向に付勢力を生じてもよい。付勢部材の付勢方向が読取部の長手方向となるように付勢部材を配するので、付勢部材の配置スペースをより大きくとることができる。
【００１０】
また、上記画像読取装置において、保持部は、上記所定の方向において読取部に当接しており、付勢部材は、上記所定の方向に付勢力を生じてもよい。この場合、付勢部材により生じる付勢力により、読取部を、原稿載置板側に付勢するとともに、保持部が読取部を当接方向に付勢するので、この方向における読取部の保持部に対するがたつきを抑えることができる。
【００１１】
なお、上記の発明の概要は、本発明の必要な特徴の全てを列挙したものではない。また、これらの特徴群のサブコンビネーションもまた、発明となりうる。
【発明を実施するための最良の形態】
【００１２】
以下、発明の実施の形態を通じて本発明を説明するが、以下の実施形態は特許請求の範囲に係る発明を限定するものではない。また、また実施形態の中で説明されている特徴の組み合わせの全てが発明の解決に必須であるとは限らない。
【００１３】
図１は、一の実施形態に係る画像読取装置１０の外観を示す斜視図である。図１に示すように、画像読取装置１０は、後述する内部機構を収納する筐体のケース１１と、ケース１１にヒンジ部１４を介して回動可能に取り付けられた原稿押さえ１３とを備える。また、ケース１１の上面には、透明な平面１６を有する原稿載置板１２が取り付けられている。この原稿載置板１２には、例えば透明なガラス板、プラスチック板等が用いられる。また、原稿押さえ１３の一の面には、例えば略白色に着色された樹脂製のシート材などが取り付けられて押さえ面１５が形成されている。上記画像読取装置１０は、上記原稿載置板１２上に原稿を載せて、原稿押さえ１３により原稿を上方から押し付けることにより、原稿載置板１２に原稿を密着させることができる。
【００１４】
図２は、画像読取装置１０の内部機構を示す斜視図であり、図１に示した画像読取装置１０から、原稿押さえ１３、原稿載置板１２およびケース１１の一部を取り除いた状態を示す。図２に示すように、この画像読取装置１０は、原稿載置板１２に載置された原稿を原稿載置板１２側から光学的に読み取る読取部１００と、当該読取部１００を保持する保持部２００とをさらに備える。
【００１５】
読取部１００は、図１に示したように略長方形である原稿載置板１２の平面１６における短辺方向に延伸している。また、読取部１００は、上方に突出した当接部材１１０が上面における長手方向の両端に取り付けられている。この当接部材１１０は、読取部１００が保持部２００に保持されて画像読取装置１０に取り付けられた状態において、原稿載置板１２の裏面側に当接している。したがって、読取部１００の上面と原稿載置板１２との間隔は、常に一定に保たれている。また、読取部１００は、その上面における上記当接部材１１０の間に開口１２０が形成されており、原稿載置板１２に載置された原稿に対して原稿載置板１２側から光を照射する光源、および、原稿から反射する光を検出して原稿の画像を光学的に読み取る複数の受光素子などがこの開口１２０の内側に配される。複数の受光素子は、読取部１００の長手方向に並んで配される。なお、これら受光素子の受光方向は、原稿載置板１２から受光素子に向かう方向である。
【００１６】
また、画像読取装置１０は、上記読取部１００の長手方向に直交する方向、すなわち、原稿載置板１２の平面１６の長辺方向にガイドレール２０を有する。このガイドレール２０は、後述するように保持部２００の下側に取り付けられたガイドレール挿通部２１２に挿通されるとともに、その両端はケース１１に対して固定されている。これにより、保持部２００および保持部２００に保持された読取部１００は、ガイドレール２０に案内されて、図２に矢印で示すように、平面１６に沿って、読取部１００の長手方向に直交する方向に移動する。なお、以下の説明において、読取部１００の長手方向を「主走査方向」と記載する。また、読取部１００および保持部２００の移動方向を「副走査方向」と記載する。
【００１７】
さらに、画像読取装置１０は、図２に示すように、ガイドレール２０の近傍に、一対のプーリ３２に張り渡されたタイミングベルト３０を有する。タイミングベルト３０は、プーリ３２の間においてはガイドレール２０と平行に架け渡されている。また、タイミングベルト３０は、後述するように保持部２００の下側に取り付けられたタイミングベルト把持部２１３に把持されている。また、プーリ３２の一方は、不図示のギアを介して不図示のステッピングモータにより回転駆動される。したがって、このステッピングモータの回転量を制御することにより、読取部１００および保持部２００をガイドレール２０に沿って移動させることができる。
【００１８】
また、読取部１００は、不図示の柔軟なフラットケーブル等を介して、ケース１１の底面に配された不図示の回路基板に電気的に接続される。この回路基板は、上記ステッピングモータ、読取部１００等の動作を制御する制御部を含む。なお、上記回路基板、ステッピングモータ等を駆動する電力は、ケース１１の底面に配される不図示の電源ユニットから供給される。
【００１９】
図３および図４は、画像読取装置１０における読取部１００、および、読取部１００を保持した保持部２００等を抜き出して、斜め上方および斜め下方からそれぞれ見た斜視図である。なお、図３では、読取部１００の長手方向の一端（図３の左側）付近における保持部２００の内部構成を露出させている。図３に示すように、読取部１００には、下方に突出して中心に回動穴１４０が形成された突出部１３０が副走査方向に対向して２組（計４つ）形成されており、それぞれの組を成す突出部１３０の回動穴１４０には、それぞれ付勢力変換部材４００の回動部４３０が回動可能に挿入されている。
【００２０】
この付勢力変換部材４００は、図３に示すように、読取部１００と保持部２００との間において、読取部１００の長手方向における両端近傍にそれぞれ１つずつ配されている。また、それぞれの付勢力変換部材４００は、上記回動部４３０から読取部１００の長手方向における内側に向けて変換部材本体４４０が伸びており、変換部材本体４４０における回動部４３０が形成されている側と反対側の端部には、副走査方向に突出した摺動部４２０と、略鉛直上方に突出した平面状の付勢部材側当接部４１０とが形成されている。
【００２１】
保持部２００は、読取部１００の長手方向に延伸し、読取部１００の底面と略同じ大きさの底部２１０、および、底部２１０の両側から読取部１００の長手方向に沿って鉛直上方に立ち上がるように形成された側部２２０とを有する。また、保持部２００の底部２１０を挟んだ両側の側部２２０には、読取部１００の長手方向における上記突出部１３０の回動穴１４０より内側にあたる位置に、長手方向に延伸した長穴２２２が副走査方向に対向して２組（計４つ）形成されており、それぞれの組を成す長穴２２２には、それぞれ付勢力変換部材４００の摺動部４２０が長穴２２２に対して摺動可能に挿入されている。
【００２２】
また、保持部２００の底部２１０には、上記側部２２０に形成された長穴２２２より読取部１００の長手方向におけるさらに内側にあたる位置に鉛直上方に立ち上がるように形成された２つの突出部２１５を有し、それぞれの突出部２１５と上記付勢力変換部材４００の付勢部材側当接部４１０との間には、付勢部材３００が配されている。付勢部材３００は、本形態では水平方向であって読取部１００の長手方向に伸縮して付勢力を生じる弦巻バネが用いられているが、水平方向に付勢力を生じる板バネなどを用いてもよい。
【００２３】
また、図４に示すように、保持部２００の底部２１０の略中央には、ガイドレール２０が挿通されているガイドレール挿通部２１２およびタイミングベルト３０を把持するタイミングベルト把持部２１３が取り付けられている。したがって、上記ステッピングモータによる動力により保持部２００が副走査方向に移動するのに伴って、保持部２００が保持する読取部１００も連れて副走査方向に移動する。
【００２４】
図５は、読取部１００および保持部２００が画像読取装置１０に取り付けられていない状態における、読取部１００の長手方向の一端（図３および図４の左側）付近における保持部２００の内部構成を露出して示す。また、図６は、読取部１００および保持部２００が画像読取装置１０に取り付けられている状態における、読取部１００の長手方向の一端（図３および図４の左側）付近における保持部２００の内部構成を露出して示す。また、図７および図８は、それぞれ図５および図６に示す状態を読取部１００の長手方向と直交する方向（副走査方向）から見たときの概略図である。
【００２５】
図５および図７に示すように、読取部１００および保持部２００が画像読取装置１０に取り付けられていない状態では、付勢部材３００によって水平方向（図７における左方向）に生じる付勢力によって、付勢力変換部材４００が左側に押されて移動する。また、このとき、付勢力変換部材４００は、上記付勢部材３００によって水平方向に生じる付勢力を鉛直上向きの付勢力に変換して回動部４３０を介して読取部１００に伝える。したがって、読取部１００は、鉛直上方に持ち上がり、２つの上記付勢部材３００によって水平方向に生じる付勢力の合力の大きさと読取部１００の自重による重力の大きさとが釣り合う位置、または、バネの付勢力が大きい場合には、長穴２２２の側面に摺動部４２０が当接した位置で静止する。
【００２６】
これに対し、図６および図８に示すように、読取部１００および保持部２００が画像読取装置１０に取り付けられている状態では、付勢部材３００によって水平方向（図８における左方向）に生じる付勢力によって付勢力変換部材４００が左側に押され（付勢力が図８における左向きに作用する）、上記と同様に、付勢力変換部材４００はこの水平方向の付勢力を鉛直上向きの付勢力に変換して読取部１００に伝える。しかし、このとき、読取部１００の当接部材１１０は、原稿載置板１２の裏面側に当接しているので、上記鉛直上向きに変換された付勢力は、読取部１００を原稿載置板１２に押し付ける力として作用する。
【００２７】
このように、読取部１００と読取部１００を保持する保持部２００との間に、水平方向に伸縮して付勢力を生じる弦巻バネなどの付勢部材３００、および、水平方向の付勢力を鉛直上向きの付勢力に変換する付勢力変換部材４００を配することにより、例えば鉛直方向に伸縮する弦巻バネなどの付勢部材３００を読取部１００と保持部２００との間に配して鉛直上向きの付勢力を生じさせる場合と比べて、付勢部材３００の配置スペースを大きくとることができる。したがって、例えば伸縮ストロークの長い弦巻バネなどを付勢部材３００として用いることができるので、付勢部材３００の付勢力を容易に調整することができる。また、よりバネ定数の大きなバネを付勢部材３００として用いることができるので、付勢部材３００の耐久性を高めることもできる。以上、読取部１００を原稿載置板１２に対して確実に押し付けることができるので、読取部１００の受光素子と原稿載置板１２上の原稿との距離を短くかつ一定に保ち、読み取り精度を向上させることができる。なお、読取部１００、保持部２００、付勢部材３００および付勢力変換部材４００が、スキャナユニットの一例である。
【００２８】
図９および図１０は、画像読取装置１０における他の実施形態である読取部１０１および読取部１０１を保持した保持部２０１等を抜き出して斜め上方および斜め下方からそれぞれ見た斜視図である。なお、以下に示す読取部１０１および保持部２０１を備えた画像読取装置１０において、上記読取部１００および保持部２００を備えた画像読取装置１０と同じ構成については同じ参照番号を付して説明を省略する。また、図９では、読取部１０１の長手方向の一端（図９の左側）付近における保持部２０１の内部構成を露出させている。
【００２９】
図９に示すように、読取部１０１と保持部２０１との間には、付勢力変換部材４０１が、読取部１０１の長手方向における両端近傍にそれぞれ１つずつ配されている。また、保持部２０１の側部２２０には、読取部１００の長手方向の両端近傍に回動穴２２４が副走査方向に対向して２組（計４つ）形成されており、それぞれの組を成す回動穴２２４には、それぞれ付勢力変換部材４０１の回動部４３１が回動可能に挿入されている。
【００３０】
上記回動部４３１から読取部１０１の長手方向における内側および外側に向けて変換部材本体４４１が伸びており、上記回動部４３１から内側に向けて伸びた変換部材本体４４１の端部には、略鉛直上方に突出した平面状の付勢部材側当接部４１１が形成されている。また、上記回動部４３１から外側に向けて伸びた変換部材本体４４１の端部は、読取部１０１の下面と当接している。
【００３１】
また、保持部２０１の底部２１０には、上記保持部２００の底部２１０と同様に２つの突出部２１５が形成されており、それぞれの突出部２１５と上記付勢力変換部材４０１の付勢部材側当接部４１１との間には、付勢部材３００が配されている。
【００３２】
図１１は、読取部１０１および保持部２０１が画像読取装置１０に取り付けられていない状態における、読取部１０１の長手方向の一端（図９および図１０の左側）付近における保持部２０１の内部構成を露出して示す。また、図１２は、読取部１０１および保持部２０１が画像読取装置１０に取り付けられている状態における、読取部１０１の長手方向の一端（図９および図１０の左側）付近における保持部２０１の内部構成を露出して示す。また、図１３および図１４は、それぞれ図１１および図１２に示す状態を読取部１０１の長手方向と直交する方向（副走査方向）から見たときの概略図である。
【００３３】
図１１および図１３に示すように、読取部１０１および保持部２０１が画像読取装置１０に取り付けられていない状態では、付勢部材３００によって水平方向（図１３における左方向）に生じる付勢力によって、付勢力変換部材４０１が左側に押されて回動部４３１を中心に回転するとともに、上記付勢部材３００によって水平方向に生じる付勢力を鉛直上向きの付勢力に変換して変換部材本体４４１を介して読取部１０１に伝える。したがって、読取部１０１は、鉛直上方に持ち上がり、２つの上記付勢部材３００によって水平方向に生じる付勢力の合力の大きさと読取部１０１の自重による重力の大きさとが釣り合う位置で静止する。
【００３４】
これに対し、図１２および図１４に示すように、読取部１０１および保持部２０１が画像読取装置１０に取り付けられている状態では、付勢部材３００によって水平方向（図１４における左方向）に生じる付勢力によって付勢力変換部材４０１が左側に押され（付勢力が図１４における左向きに作用する）、上記と同様に、付勢力変換部材４０１はこの水平方向の付勢力を鉛直上向きの付勢力に変換して読取部１０１に伝える。しかし、このとき、読取部１０１の当接部材１１０は、原稿載置板１２の裏面側に当接しているので、上記鉛直上向きに変換された付勢力は、読取部１０１を原稿載置板１２に押し付ける力として作用する。
【００３５】
このように、読取部１０１と読取部１０１を保持する保持部２０１との間に、上記読取部１００および保持部２００の場合と同様に水平方向に伸縮して付勢力を生じる付勢部材３００を配し、さらに上記付勢力変換部材４００と異なり回動部４３１を中心に回転することにより水平方向の付勢力を鉛直上向きの付勢力に変換する付勢力変換部材４０１を配することにより、上記読取部１００と保持部２００との間に付勢部材３００および付勢力変換部材４００を配した形態と同様の効果を得ることができる。
【００３６】
図１５は、画像読取装置１０におけるさらに他の実施形態である読取部１０２および読取部１０２を保持した保持部２０２等を抜き出して斜め上方から見た斜視図である。なお、以下に示す読取部１０２および保持部２０２を備えた画像読取装置１０において、上記読取部１００および保持部２００を備えた画像読取装置１０と同じ構成については同じ参照番号を付して説明を省略する。また、図１５では、読取部１０２の長手方向の一端（図１５の左側）付近における保持部２０２の内部構成を露出させている。さらに、図１５に示すように、読取部１０２の下面から下方に突出した柱状の読取部側摺動部材４７２が副走査方向に対向して１組（計４つ）形成されており、それぞれの組を成す突出部１３０の回動穴１４０には、それぞれ付勢力変換部材４０２の回動部４３０が回動可能に挿入されている。
【００３７】
図１５に示すように、読取部１０２と保持部２０２との間には、読取部１０２の下面から下方に突出し、下側に摺動傾斜面４７５を有する柱状の読取部側摺動部材４７２、および、保持部２０２の底部２１０上に形成されたガイド溝２１７上に配されて上側に摺動傾斜面４６５を有する付勢部材側摺動部材４６２から成る付勢力変換部材４０２が、読取部１０２の長手方向における両端近傍にそれぞれ１組ずつ配されている。これら読取部側摺動部材４７２の摺動傾斜面４７５および付勢部材側摺動部材４６２の摺動傾斜面４６５は、図１５に示すように互いに対向する同じ向きの傾斜面である。したがって、摺動傾斜面４７５および摺動傾斜面４６５は、これら摺動傾斜面４７５および摺動傾斜面４６５で互いに摺動可能に当接している。
【００３８】
また、保持部２０２の底部２１０には、上記保持部２００、２０１の底部２１０と同様に２つの突出部２１５が形成されており、それぞれの突出部２１５と上記付勢力変換部材４０２の付勢部材側摺動部材４６２との間には、付勢部材３００が配されている。
【００３９】
図１６は、読取部１０２および保持部２０２が画像読取装置１０に取り付けられていない状態における、読取部１０２の長手方向の一端（図１５の左側）付近における保持部２０２の内部構成を露出して示す。また、図１７は、読取部１０２および保持部２０２が画像読取装置１０に取り付けられている状態における、読取部１０２の長手方向の一端（図１５の左側）付近における保持部２０２の内部構成を露出して示す。また、図１８および図１９は、それぞれ図１６および図１７に示す状態を読取部１０２の長手方向と直交する方向（副走査方向）から見たときの概略図である。
【００４０】
図１６および図１８に示すように、読取部１０２および保持部２０２が画像読取装置１０に取り付けられていない状態では、付勢部材３００によって水平方向（図１８における左方向）に生じる付勢力によって、付勢部材側摺動部材４６２がガイド溝２１７に沿って左側に押される。このとき、付勢部材側摺動部材４６２の摺動傾斜面４６５と摺動傾斜面４７５で摺動可能に当接している読取部側摺動部材４７２は、上方に押される。したがって、付勢部材側摺動部材４６２および読取部側摺動部材４７２から成る付勢力変換部材４０２は、上記付勢部材３００によって水平方向に生じる付勢力を鉛直上向きの付勢力に変換して読取部１０２に伝える。したがって、読取部１０２は、鉛直上方に持ち上がり、２つの上記付勢部材３００によって水平方向に生じる付勢力の合力の大きさと読取部１０２の自重による重力の大きさとが釣り合う位置で静止する。
【００４１】
これに対し、図１７および図１９に示すように、読取部１０２および保持部２０２が画像読取装置１０に取り付けられている状態では、付勢部材３００によって水平方向（図１９における左方向）に生じる付勢力によって付勢部材側摺動部材４６２がガイド溝２１７に沿って左側に押され（付勢力が図１９における左向きに作用する）、上記と同様に、付勢力変換部材４０２はこの水平方向の付勢力を鉛直上向きの付勢力に変換して読取部１０２に伝える。しかし、このとき、読取部１０２の当接部材１１０は、原稿載置板１２の裏面側に当接しているので、上記鉛直上向きに変換された付勢力は、読取部１０２を原稿載置板１２に押し付ける力として作用する。
【００４２】
このように、読取部１０２と読取部１０２を保持する保持部２０２との間に、水平方向に伸縮して付勢力を生じる付勢部材３００を配し、さらに上記付勢力変換部材４００、４０１と異なり、傾斜を有する摺動部材の移動により水平方向の付勢力を鉛直上向きの付勢力に変換する付勢力変換部材４０２を配することにより、上記読取部１００、１０１および保持部２００、２０１を設ける場合と同様の効果を得ることができる。
【００４３】
なお、上記実施形態に替えて、付勢部材３００は、付勢部材３００は保持部２０２が原稿載置板１２に対して移動する方向、すなわち副走査方向に付勢力を生じてもよい。この場合に、読取部１０２の側面を原稿載置板１２の側部２２０に当接させて、さらに、付勢部材３００は読取部１０２の当該側面を原稿載置板１２の当該側部２２０に付勢する方向に付勢力を生じてもよい。この場合、付勢部材３００により生じる付勢力により、読取部１０２を、原稿載置板１２側に付勢するとともに、保持部２０２が原稿載置板１２に対して移動する方向に付勢することができるので、例えば読取部１０２を上記方向において保持部２０２に当接させることにより、この方向における読取部１０２の保持部２０２に対するがたつきを抑えることができる。
【００４４】
また、図１から図１９に示す実施形態においては、原稿載置板１２に対して原稿が載置され、読取部１００、１０１、１０２および保持部２００、２０１、２０２が原稿載置板１２に対して移動することにより原稿を読み取る。しかしながら、原稿を読み取る形態はこれに限られない。他の形態として、読取部１００、１０１、１０２および保持部２００、２０１、２０２が原稿載置板１２に対して移動せずに、原稿搬送機構によって、原稿が読取部１００、１０１、１０２に対して移動することにより、読取部１００、１０１、１０２が原稿を読み取ってもよい。この場合にも、上記読取部１００、１０１、１０２、保持部２００、２０１、２０２、付勢部材３００および付勢力変換部材４００、４０１、４０２を有するスキャナユニットを用いることができる。
【００４５】
なお、実施の形態を用いて発明を説明したが、本発明の技術的範囲は上記実施の形態に記載の範囲には限定されない。上記実施の形態に、多様な変更または改良を加え得ることは当業者に明らかである。また、その様な変更または改良を加えた形態も本発明の技術的範囲に含まれ得ることは、特許請求の範囲の記載から明らかである。
【図面の簡単な説明】
【００４６】
【図１】一の実施形態に係る画像読取装置１０の外観を示す斜視図である。
【図２】画像読取装置１０の内部機構を示す斜視図である。
【図３】読取部１００および保持部２００等を斜め上方から見た斜視図である。
【図４】読取部１００および読取部１００を保持した保持部２００等を抜き出して斜め下方から見た斜視図である。
【図５】読取部１００および保持部２００が画像読取装置１０に取り付けられていない状態における、読取部１００の長手方向の一端付近における保持部２００の内部構成を露出して示す。
【図６】読取部１００および保持部２００が画像読取装置１０に取り付けられている状態における、読取部１００の長手方向の一端付近における保持部２００の内部構成を露出して示す。
【図７】図５に示す状態を副走査方向から見たときの概略図である。
【図８】図６に示す状態を副走査方向から見たときの概略図である。
【図９】他の実施形態である読取部１０１および読取部１０１を保持した保持部２０１等を抜き出して斜め上方から見た斜視図である。
【図１０】他の実施形態である読取部１０１および読取部１０１を保持した保持部２０１等を抜き出して斜め下方から見た斜視図である。
【図１１】画像読取装置１０に取り付けられていない状態における、読取部１０１の長手方向の一端付近における保持部２０１の内部構成を露出して示す。
【図１２】画像読取装置１０に取り付けられている状態における、読取部１０１の長手方向の一端付近における保持部２０１の内部構成を露出して示す。
【図１３】図１１に示す状態を副走査方向から見たときの概略図である。
【図１４】図１２に示す状態を副走査方向から見たときの概略図である。
【図１５】さらに他の実施形態である読取部１０２および読取部１０２を保持した保持部２０２等を抜き出して斜め上方から見た斜視図である。
【図１６】画像読取装置１０に取り付けられていない状態における、読取部１０２の長手方向の一端付近における保持部２０２の内部構成を露出して示す。
【図１７】画像読取装置１０に取り付けられている状態における、読取部１０２の長手方向の一端付近における保持部２０２の内部構成を露出して示す。
【図１８】図１６に示す状態を副走査方向から見たときの概略図である。
【図１９】図１７に示す状態を副走査方向から見たときの概略図である。
【符号の説明】
【００４７】
１０  画像読取装置、１１  ケース、１２  原稿載置板、１３  原稿押さえ、１４  ヒンジ部、１５  押さえ面、１６  平面、２０  ガイドレール、３０  タイミングベルト、３２  プーリ、１００、１０１、１０２  読取部、１１０  当接部材、１２０  開口、１３０  突出部、１４０  回動穴、２００、２０１、２０２  保持部、２１０  底部、２１２  ガイドレール挿通部、２１３  タイミングベルト把持部、２１５  突出部、２１７  ガイド溝、２２０  側部、２２２  長穴、２２４  回動穴、３００  付勢部材、４００、４０１、４０２  付勢力変換部材、４１０、４１１  付勢部材側当接部、４２０  摺動部、４３０、４３１  回動部、４４０、４４１  変換部材本体、４５１  読取部側当接部、４６２  付勢部材側摺動部材、４６５  摺動傾斜面、４７２  読取部側摺動部材、４７５  摺動傾斜面
【図１】
2008203456.tif 000003
【図２】
2008203456.tif 000004
【図３】
2008203456.tif 000005
【図４】
2008203456.tif 000006
【図５】
2008203456.tif 000007
【図６】
2008203456.tif 000008
【図７】
2008203456.tif 000009
【図８】
2008203456.tif 000010
【図９】
2008203456.tif 000011
【図１０】
2008203456.tif 000012
【図１１】
2008203456.tif 000013
【図１２】
2008203456.tif 000014
【図１３】
2008203456.tif 000015
【図１４】
2008203456.tif 000016
【図１５】
2008203456.tif 000017
【図１６】
2008203456.tif 000018
【図１７】
2008203456.tif 000019
【図１８】
2008203456.tif 000020
【図１９】
2008203456.tif 000021